(57)【要約】【課題】紙葉類の計数を高速化しても、後続紙葉類がリジェクトされない。【解決手段】紙葉類を鑑別する紙葉類鑑別装置と、紙葉類鑑別装置により鑑別された紙葉類を計数する紙葉類計数装置と、を備える紙葉類取扱システムであって、読み取られた特定記号を繰り出された紙葉類の順番に含む前工程データを生成し、一枚の紙葉類の特定記号が読み取られた時点で、既に繰り出されている紙葉類の繰出し枚数Ｋを記憶し、バッチ枚数Ｎは、繰出し枚数Ｋより大きい整数であり、特定記号が読み取られる度に、特定記号を前工程データと照合して、一致する特定記号の紙葉類からＺ番目の紙葉類をバッチ予想紙葉類として特定し、バッチ予想紙葉類からＫ番前の紙葉類までの特定記号を前工程データから抽出し、バッチ予想紙葉類からＫ番前の紙葉類までの特定記号のいずれかが読取特定記号と一致すると判定されると、第２繰出し部の動作を停止させる。【選択図】図５
2019016323.tif 000002
【特許請求の範囲】
【請求項１】
紙葉類を鑑別する紙葉類鑑別装置と、前記紙葉類鑑別装置により鑑別された前記紙葉類を計数する紙葉類計数装置と、を備える紙葉類取扱システムであって、
前記紙葉類鑑別装置は、
投入口に積層配置された複数の前記紙葉類を一枚ずつ繰り出す第１繰出し部と、
前記第１繰出し部により繰り出された前記紙葉類の表面に記載され前記紙葉類を一意に特定する特定記号を読み取る第１読取部と、
前記第１読取部により前記特定記号が読み取られた前記紙葉類を積層収納する第１収納部と、
前記第１読取部により読み取られた前記特定記号を前記第１繰出し部により繰り出された前記紙葉類の順番に含む前工程データを生成するデータ生成部と、
を含み、
前記紙葉類計数装置は、
前記第１収納部から取り出され投入口に積層配置された複数の前記紙葉類を一枚ずつ繰り出す第２繰出し部と、
前記第２繰出し部により繰り出された前記紙葉類の表面に記載された前記特定記号を読み取る第２読取部と、
前記第２繰出し部により繰り出された前記紙葉類を受け入れるか否かを判定する受入判定部と、
前記紙葉類を設定されたバッチ枚数Ｎまで収納可能な第２収納部と、
前記受入判定部により受け入れると判定された前記紙葉類を前記第２収納部に搬送する搬送部と、
前記前工程データを取得する取得部と、
前記第２繰出し部及び前記搬送部の動作を制御する搬送制御部と、
前記第２読取部により一枚の前記紙葉類の前記特定記号が読み取られた時点で、前記第２繰出し部と前記第２読取部との間に既に繰り出されている紙葉類の繰出し枚数Ｋ（Ｋは正の整数）を記憶するメモリと、
前記前工程データと前記第２読取部により読み取られた前記特定記号とに基づき、前記第２収納部に収納される前記紙葉類の枚数を計数する計数制御部と、
を含み、
前記バッチ枚数Ｎは、前記繰出し枚数Ｋより大きい整数であり、
前記計数制御部は、
前記第２繰出し部の動作を開始した後、前記紙葉類を受け入れると判定される度に、前記バッチ枚数Ｎまでの残り枚数Ｚを１ずつ減算し、
前記紙葉類を受け入れないと判定されると、前記残り枚数Ｚを減算せずに維持し、
前記第２読取部により前記特定記号が読み取られる度に、前記第２読取部により読み取られた前記特定記号である読取特定記号を前記前工程データと照合して、一致する前記特定記号の紙葉類からＺ番目の紙葉類をバッチ予想紙葉類として特定し、
前記バッチ予想紙葉類からＫ番前の紙葉類までの前記特定記号を前記前工程データから抽出し、
前記バッチ予想紙葉類から前記Ｋ番前の紙葉類までの前記特定記号のいずれかが前記読取特定記号と一致するか否かを判定する、
前記搬送制御部は、
前記バッチ予想紙葉類から前記Ｋ番前の紙葉類までの前記特定記号のいずれかが前記読取特定記号と一致すると前記計数制御部により判定されると、前記第２繰出し部の動作を停止させる、
紙葉類取扱システム。
【請求項２】
前記計数制御部は、
前記第２繰出し部の動作が停止され、Ｋ枚の紙葉類を受け入れるか否かが前記受入判定部により判定された後に、Ｚ番目の紙葉類である前記バッチ予想紙葉類までの枚数Ｙを算出し、
前記搬送制御部は、
前記第２繰出し部の動作を再開させて、前記紙葉類を枚数Ｙだけ繰り出させる、
請求項１に記載の紙葉類取扱システム。
【請求項３】
前記計数制御部は、
前記第２繰出し部の動作が再開された後、前記紙葉類を受け入れると判定される度に、前記残り枚数Ｚを１ずつ減算し、
前記紙葉類を受け入れないと判定されると、前記残り枚数Ｚを減算せずに維持し、
前記残り枚数Ｚが０になったか否かを判定する、
前記搬送制御部は、
前記残り枚数Ｚが０になったと前記計数制御部により判定されると、前記搬送部の動作を停止させる、
請求項２に記載の紙葉類取扱システム。
【請求項４】
前記紙葉類は、複数の異なる国で発行された紙葉類を含む、
請求項１〜３のいずれかに記載の紙葉類取扱システム。
【請求項５】
前記紙葉類鑑別装置及び前記紙葉類計数装置と、それぞれ通信可能に構成された管理装置を更に備え、
前記紙葉類鑑別装置は、前記前工程データを前記管理装置に送信する第１通信部を更に含み、
前記管理装置は、
前記紙葉類鑑別装置の前記第１通信部から送信された前記前工程データを受信する管理通信部と、
前記管理通信部により受信された前記前工程データを記憶する管理記憶部と、
を含み、
前記管理通信部は、前記管理記憶部に記憶された前記前工程データを前記紙葉類計数装置に送信し、
前記取得部は、前記管理通信部から送信された前記前工程データを受信する、
請求項１〜４のいずれか１項に記載の紙葉類取扱システム。
【請求項６】
前記紙葉類鑑別装置は、通信可能に構成された持ち運び可能メモリに前記前工程データを保存する第１通信部を更に含み、
前記取得部は、前記前工程データが保存された前記持ち運び可能メモリから前記前工程データを取得する、
請求項１〜４のいずれか１項に記載の紙葉類取扱システム。
【発明の詳細な説明】
【技術分野】
【０００１】
本発明は、紙葉類を取り扱う紙葉類取扱システムに関する。
【背景技術】
【０００２】
従来、設定されたバッチ枚数ごとに紙幣を計数する紙幣計数機が知られている。例えば特許文献１に記載の紙幣計数機では、計数対象の紙幣がホッパにセットされる。ホッパから繰り出された紙幣の金種及び真偽等が識別手段によって識別される。計数対象として予め設定された金種と同一であると識別手段によって識別された金種の紙幣の枚数が計数手段によって計数される。金種毎に累積された計数値が記憶手段に保持される。そして、特定金種の計数枚数が予め設定されたバッチ枚数に等しくなると、ホッパからの紙幣の繰出しが停止手段によって停止される。
【先行技術文献】
【特許文献】
【０００３】
【特許文献１】特開平９−１０６４６５号公報
【発明の概要】
【発明が解決しようとする課題】
【０００４】
紙幣の計数を高速化するために、識別手段において紙幣の識別が完了する前に、後続紙幣を識別手段に向けて繰り出す構成の計数機が考えられる。しかし、このような構成の計数機では、識別手段で金種が識別され、識別された金種の計数枚数がバッチ枚数に等しいことが判明した時点で紙幣の繰出しを停止しても、既に後続紙幣が繰り出されている。この場合、上記特許文献１に記載の装置では、繰り出された後続紙幣はリジェクトされることになる。この点は、紙幣に限られず、有価証券を含む紙葉類全般について該当する。
【０００５】
本発明は、上記問題を解決するもので、紙葉類の計数を高速化しても、既に繰り出された後続の紙葉類がリジェクトされない紙葉類取扱システムを提供することを目的とする。
【課題を解決するための手段】
【０００６】
本発明の一態様は、
紙葉類を鑑別する紙葉類鑑別装置と、前記紙葉類鑑別装置により鑑別された前記紙葉類を計数する紙葉類計数装置と、を備える紙葉類取扱システムであって、
前記紙葉類鑑別装置は、
投入口に積層配置された複数の前記紙葉類を一枚ずつ繰り出す第１繰出し部と、
前記第１繰出し部により繰り出された前記紙葉類の表面に記載され前記紙葉類を一意に特定する特定記号を読み取る第１読取部と、
前記第１読取部により前記特定記号が読み取られた前記紙葉類を積層収納する第１収納部と、
前記第１読取部により読み取られた前記特定記号を前記第１繰出し部により繰り出された前記紙葉類の順番に含む前工程データを生成するデータ生成部と、
を含み、
前記紙葉類計数装置は、
前記第１収納部から取り出され投入口に積層配置された複数の前記紙葉類を一枚ずつ繰り出す第２繰出し部と、
前記第２繰出し部により繰り出された前記紙葉類の表面に記載された前記特定記号を読み取る第２読取部と、
前記第２繰出し部により繰り出された前記紙葉類を受け入れるか否かを判定する受入判定部と、
前記紙葉類を設定されたバッチ枚数Ｎまで収納可能な第２収納部と、
前記受入判定部により受け入れると判定された前記紙葉類を前記第２収納部に搬送する搬送部と、
前記前工程データを取得する取得部と、
前記第２繰出し部及び前記搬送部の動作を制御する搬送制御部と、
前記第２読取部により一枚の前記紙葉類の前記特定記号が読み取られた時点で、前記第２繰出し部と前記第２読取部との間に既に繰り出されている紙葉類の繰出し枚数Ｋ（Ｋは正の整数）を記憶するメモリと、
前記前工程データと前記第２読取部により読み取られた前記特定記号とに基づき、前記第２収納部に収納される前記紙葉類の枚数を計数する計数制御部と、
を含み、
前記バッチ枚数Ｎは、前記繰出し枚数Ｋより大きい整数であり、
前記計数制御部は、
前記第２繰出し部の動作を開始した後、前記紙葉類を受け入れると判定される度に、前記バッチ枚数Ｎまでの残り枚数Ｚを１ずつ減算し、
前記紙葉類を受け入れないと判定されると、前記残り枚数Ｚを減算せずに維持し、
前記第２読取部により前記特定記号が読み取られる度に、前記第２読取部により読み取られた前記特定記号である読取特定記号を前記前工程データと照合して、一致する前記特定記号の紙葉類からＺ番目の紙葉類をバッチ予想紙葉類として特定し、
前記バッチ予想紙葉類からＫ番前の紙葉類までの前記特定記号を前記前工程データから抽出し、
前記バッチ予想紙葉類から前記Ｋ番前の紙葉類までの前記特定記号のいずれかが前記読取特定記号と一致するか否かを判定する、
前記搬送制御部は、
前記バッチ予想紙葉類から前記Ｋ番前の紙葉類までの前記特定記号のいずれかが前記読取特定記号と一致すると前記計数制御部により判定されると、前記第２繰出し部の動作を停止させるものである。
【０００７】
本態様では、第２読取部により一枚の紙葉類の特定記号が読み取られた時点で、第２繰出し部と第２読取部との間に既に繰り出されている紙葉類の繰出し枚数Ｋがメモリに記憶されている。第２繰出し部の動作が開始された後、紙葉類を受け入れると判定される度に、バッチ枚数Ｎまでの残り枚数Ｚが１ずつ減算され、紙葉類を受け入れないと判定されると、残り枚数Ｚが減算されずに維持される。このため、バッチ枚数Ｎまでの残り枚数Ｚを正確にカウントすることができる。
【０００８】
読取特定記号が前工程データと照合されて読取特定記号からＺ番目の紙葉類がバッチ予想紙葉類として特定される。バッチ予想紙葉類からＫ番前の紙葉類までの特定記号が前工程データから抽出される。バッチ予想紙葉類からＫ番前の紙葉類までの特定記号のいずれかが読取特定記号と一致するか否かが判定される。バッチ予想紙葉類からＫ番前の紙葉類までの特定記号のいずれかが読取特定記号と一致すると判定されると、第２繰出し部の動作が停止される。
【０００９】
第２繰出し部の動作が停止した時点では、既に、繰出し枚数Ｋの紙葉類が繰り出されている。繰出し枚数Ｋの紙葉類のＫ枚目は、Ｚ番目の紙葉類であるバッチ予想紙葉類に相当するので、バッチ枚数Ｎが第２繰出し部により繰り出されたことになる。このため、本態様によれば、バッチ枚数Ｎを超える枚数の紙葉類が第２繰出し部により繰り出されることを未然に防止することができる。その結果、紙葉類の計数を高速化しても、既に繰り出された後続の紙葉類が無駄にリジェクトされることがないという利点がある。
【００１０】
上記態様において、例えば、前記計数制御部は、前記第２繰出し部の動作が停止され、Ｋ枚の紙葉類を受け入れるか否かが前記受入判定部により判定された後に、Ｚ番目の紙葉類である前記バッチ予想紙葉類までの枚数Ｙを算出してもよい。前記搬送制御部は、前記第２繰出し部の動作を再開させて、前記紙葉類を枚数Ｙだけ繰り出させてもよい。
【００１１】
本態様では、第２繰出し部の動作が停止され、Ｋ枚の紙葉類を受け入れるか否かが受入判定部により判定された後に、Ｚ番目の紙葉類であるバッチ予想紙葉類までの枚数Ｙが算出される。第２繰出し部の動作が再開されて、紙葉類が枚数Ｙだけ繰り出される。このため、本態様によれば、バッチ枚数Ｎに対して不足する枚数の紙葉類を繰り出すことができる。
【００１２】
上記態様において、例えば、前記計数制御部は、前記第２繰出し部の動作が再開された後、前記紙葉類を受け入れると判定される度に、前記残り枚数Ｚを１ずつ減算し、前記紙葉類を受け入れないと判定されると、前記残り枚数Ｚを減算せずに維持し、前記残り枚数Ｚが０になったか否かを判定してもよい。前記搬送制御部は、前記残り枚数Ｚが０になったと前記計数制御部により判定されると、前記搬送部の動作を停止させてもよい。
【００１３】
本態様では、第２繰出し部の動作が再開された後、紙葉類を受け入れると判定される度に、バッチ枚数Ｎまでの残り枚数Ｚが１ずつ減算され、紙葉類を受け入れないと判定されると、残り枚数Ｚが減算されずに維持される。残り枚数Ｚが０になったと判定されると、搬送部の動作が停止される。したがって、本態様によれば、第２繰出し部の動作が再開された後に、受け入れないと判定された紙葉類が存在しても、バッチ枚数Ｎの紙葉類を第２繰出し部により繰り出すことが可能になっている。
【００１４】
上記態様において、例えば、前記紙葉類は、複数の異なる国で発行された紙葉類を含んでもよい。
【００１５】
上記態様において、例えば、前記紙葉類鑑別装置及び前記紙葉類計数装置と、それぞれ通信可能に構成された管理装置を更に備えてもよい。前記紙葉類鑑別装置は、前記前工程データを前記管理装置に送信する第１通信部を更に含んでもよい。前記管理装置は、前記紙葉類鑑別装置の前記第１通信部から送信された前記前工程データを受信する管理通信部と、前記管理通信部により受信された前記前工程データを記憶する管理記憶部と、を含んでもよい。前記管理通信部は、前記管理記憶部に記憶された前記前工程データを前記紙葉類計数装置に送信してもよい。前記取得部は、前記管理通信部から送信された前記前工程データを受信してもよい。
【００１６】
上記態様において、例えば、前記紙葉類鑑別装置は、通信可能に構成された持ち運び可能メモリに前記前工程データを保存する第１通信部を更に含んでもよい。前記取得部は、前記前工程データが保存された前記持ち運び可能メモリから前記前工程データを取得してもよい。
【発明の効果】
【００１７】
本発明によれば、第２繰出し部の動作が停止した時点では、既に、繰出し枚数Ｋの紙葉類が繰り出されており、繰出し枚数Ｋの紙葉類のＫ枚目は、Ｚ番目の紙葉類であるバッチ予想紙葉類に相当する。このため、バッチ枚数Ｎが第２繰出し部により繰り出されたことになることから、バッチ枚数Ｎを超える枚数の紙葉類が第２繰出し部により繰り出されることを未然に防止することができる。その結果、紙葉類の計数を高速化しても、既に繰り出された後続の紙葉類が無駄にリジェクトされることがないという利点がある。
【図面の簡単な説明】
【００１８】
【図１】本実施形態の紙幣取扱システムの構成例を概略的に示すブロック図である。
【図２】入金機の構成例を概略的に示すブロック図である。
【図３】入金機において生成される前工程データの一例を概略的に示す図である。
【図４】サーバー装置の構成例を概略的に示すブロック図である。
【図５】計数機の構成例を概略的に示すブロック図である。
【図６】繰出しモータにより繰り出された紙幣を概略的に示す図である。
【図７】入金機の動作例を概略的に示すフローチャートである。
【図８】紙幣計数動作の開始前に実行される計数機の動作例を概略的に示すフローチャートである。
【図９】計数機の紙幣計数動作の一例を概略的に示すフローチャートである。
【図１０】計数機の紙幣計数動作の一例を概略的に示すフローチャートである。
【図１１】計数機の紙幣計数動作の一例を概略的に示すフローチャートである。
【図１２】紙幣計数動作の経過を具体的に説明するための計数情報を示す図である。
【発明を実施するための形態】
【００１９】
（本発明の基礎となった知見）
まず、本発明の基礎となった知見が説明される。上述のように、紙幣の計数を高速化するために、識別手段において紙幣の識別が完了する前に、後続紙幣を識別手段に向けて繰り出すような構成を上記特許文献１に記載の装置に採用すると、バッチ枚数に到達した時点で紙幣の繰出しを停止しても、既に繰り出された紙幣はリジェクトするしかない。しかし、この場合には、バッチ枚数に達する度に紙幣をリジェクトすることになるため、リジェクト枚数が増加して、計数効率が低下してしまう。
【００２０】
これに対する対策として、計数枚数がバッチ枚数に近づくと、紙幣を繰り出す間隔を長くして、紙幣の識別終了後に、次の紙幣を繰り出すように構成することが考えられる。この場合には、バッチ枚数に達した時点で紙幣の繰出しを停止しても、次の紙幣が繰り出されていないので、リジェクトされる紙幣をなくすことができる。しかし、この構成では、計数枚数がバッチ枚数に近づく度に紙幣の繰出し速度が低下するため、生産性が低下してしまう。また、動作中に紙幣の繰出し間隔が長くなると、ユーザに故障と勘違いされる虞もある。
【００２１】
別の対策として、紙幣の搬送路に紙幣を貯留する場所を設け、バッチ枚数に達した時点で既に繰り出された紙幣を一時的に保留する構成が考えられる。しかし、この構成では、搬送路が長くなるために装置のサイズが増大し、装置コストの上昇につながることから、好ましくない。
【００２２】
一方、従来、例えば流通業の各店舗に設置された入金機等の紙幣鑑別装置において、紙幣の真偽が鑑別されると、真正と鑑別された紙幣は、現金センターに移送される。現金センターには、計数機が設置されており、計数機において紙幣が高速で計数される。そこで、本発明者は、前工程の装置である入金機で得られた前工程データを後工程の装置である計数機が利用できるようにすることによって、紙幣を高速で計数しつつ、既に繰り出された後続の紙葉類がリジェクトされない紙葉類取扱システムを想到した。
【００２３】
（実施の形態）
以下、本発明の実施の形態について、図面を参照しながら説明する。なお、各図面において、同じ構成要素には同じ符号が用いられ、詳細な説明は、適宜、省略される。
【００２４】
（構成）
図１は、本実施形態における紙幣取扱システム１０の構成例を概略的に示すブロック図である。図１に示されるように、本実施形態における紙幣取扱システム１０は、入金機１００と、サーバー装置２００と、計数機３００とを備える。入金機１００は、例えば流通業の各店舗に設置される。サーバー装置２００、計数機３００は、例えば、流通業の現金センターに設置される。
【００２５】
入金機１００は、店舗に来店した顧客が支払った紙幣の真偽を鑑別し、枚数等を管理する。入金機１００により真正と鑑別された紙幣は、現金センターに移送される。計数機３００は、店舗から移送された紙幣の金種、枚数等を管理する。サーバー装置２００は、紙幣の金種、枚数等を管理する。サーバー装置２００は、例えばパーソナルコンピュータ等のコンピュータによって構成される。
【００２６】
入金機１００、サーバー装置２００、計数機３００は、それぞれ、ネットワーク２０に接続されている。ネットワーク２０は、例えば、有線又は無線のローカルエリアネットワーク（ＬＡＮ）を含んでもよく、インターネットを含んでもよい。
【００２７】
入金機１００と、サーバー装置２００とは、ネットワーク２０の例えばインターネットを介して、互いに通信可能に構成されている。計数機３００と、サーバー装置２００とは、ネットワーク２０の例えばＬＡＮを介して、互いに通信可能に構成されている。
【００２８】
図２は、図１の紙幣取扱システム１０に含まれる入金機１００の構成例を概略的に示すブロック図である。図３は、入金機１００において生成される前工程データの一例を概略的に示す図である。
【００２９】
図２に示されるように、入金機１００は、検出部１１０、メモリ１２０、搬送部１３０、繰出し部１３５、収納カセット１４０、通信インターフェース（ＩＦ）回路１５０、中央演算処理装置（ＣＰＵ）１６０を備える。検出部１１０は、紫外線（ＵＶ）センサ１１１、磁気センサ１１２、カメラ１１３、可視光センサ１１４を含む。
【００３０】
メモリ１２０は、例えば半導体メモリ等により構成される。メモリ１２０は、例えばリードオンリーメモリ（ＲＯＭ）、ランダムアクセスメモリ（ＲＡＭ）、電気的に消去書き換え可能なＲＯＭ（ＥＥＰＲＯＭ）などを含む。メモリ１２０のＲＯＭは、ＣＰＵ１６０を動作させる本実施形態の制御プログラムを記憶する。ＣＰＵ１６０は、メモリ１２０に記憶された本実施形態の制御プログラムに従って動作することによって、読取制御部１６１、真偽識別部１６２、搬送制御部１６３、通信制御部１６４として機能する。ＣＰＵ１６０の各機能は、後述される。
【００３１】
搬送部１３０、繰出し部１３５は、ＣＰＵ１６０に接続され、搬送制御部１６３により制御されて、動作する。搬送部１３０は、搬送路に沿って紙幣を搬送するためのモータ、搬送先を切り替える搬送先切替部等を含む。繰出し部１３５は、投入口に積層された紙幣を繰り出すための繰出しモータ等を含む。搬送制御部１６３は、繰出し部１３５を動作させて、入金機１００の投入口に積層された複数の紙幣を一枚ずつ繰り出して、検出部１１０に搬送する。搬送制御部１６３は、搬送部１３０を動作させて、所定の搬送路に沿って、投入口から検出部１１０に搬送された紙幣を、検出部１１０から収納カセット１４０又はリジェクト部（図示省略）に搬送する。
【００３２】
収納カセット１４０は、真正と鑑別された紙幣を収納する。収納カセット１４０は、ＣＰＵ１６０に接続され、収納する紙幣が満杯になったことを検出する満杯センサ（図示省略）を含む。搬送制御部１６３は、満杯センサによって収納カセット１４０に収納された紙幣が満杯になったことが検出されると、繰出し部１３５及び搬送部１３０による紙幣の搬送を停止する。収納カセット１４０は、入金機１００から取り出し可能に構成されてもよい。この場合、紙幣は収納カセット１４０に収納されたまま移送可能となる。
【００３３】
通信ＩＦ回路１５０は、ＣＰＵ１６０に接続され、通信制御部１６４の制御に従って動作する。通信ＩＦ回路１５０は、ネットワーク２０を介して、サーバー装置２００と通信する。通信ＩＦ回路１５０は、ＣＰＵ１６０の通信制御部１６４から入力された送信すべき前工程データ（後述）を収容した通信信号を、ネットワーク２０で用いられる通信プロトコルに従って生成する。通信ＩＦ回路１５０は、ネットワーク２０を介して、この生成した通信信号をサーバー装置２００に送信する。
【００３４】
検出部１１０のＵＶセンサ１１１は、紫外光を紙幣に向けて照射する発光素子と、紫外光が紙幣により反射された反射光を受光する受光素子とを含む。ＵＶセンサ１１１は、受光素子により受光された反射光に応じた紫外光信号をＣＰＵ１６０に出力する。検出部１１０の磁気センサ１１２は、搬送部１３０により搬送される紙幣から出力される磁気を検出し、検出した磁気に応じた磁気信号をＣＰＵ１６０に出力する。検出部１１０のカメラ１１３は、紙幣を撮像し、撮像によって得られた撮像信号をＣＰＵ１６０に出力する。検出部１１０の可視光センサ１１４は、可視光を紙幣に向けて照射する発光素子と、可視光が紙幣により反射された反射光を受光する受光素子とを含む。可視光センサ１１４は、受光素子により受光された反射光に応じた可視光信号をＣＰＵ１６０に出力する。
【００３５】
ＣＰＵ１６０の読取制御部１６１は、カメラ１１３から出力された撮像信号に対して画像処理を行って、英数字からなる記番号を読み取る。記番号は、紙幣の通し番号を表す。このため、記番号（特定記号の一例に相当）を読み取ることによって、紙幣を特定することができる。
【００３６】
ＣＰＵ１６０の真偽識別部１６２は、ＵＶセンサ１１１から出力される紫外光信号と、磁気センサ１１２から出力される磁気信号と、可視光センサ１１４から出力される可視光信号とに基づき、搬送部１３０によって搬送される紙幣の真偽を鑑別する。真偽識別部１６２は、真偽の鑑別結果を搬送制御部１６３に通知する。また、真偽識別部１６２は、可視光センサ１１４から出力される可視光信号に基づき、紙幣の金種を判別する。
【００３７】
真偽識別部１６２は、さらに、前工程データ５００を生成し、生成した前工程データ５００をメモリ１２０に保存する。前工程データ５００は、図３に示されるように、鑑別対象の紙幣１９０（図６）から読取制御部１６１によって読み取られた記番号を表す記番号欄５０２と、記番号欄５０２に対応付けられた紙幣１９０の金種（鑑別結果の一例に相当）を表す金種欄５０１とを含む。前工程データ５００は、金種欄５０１と記番号欄５０２との対応データを、鑑別対象となった紙幣１９０の順番（つまり搬送部１３０によって投入口から繰り出された紙幣１９０の順番）に含む。
【００３８】
搬送制御部１６３は、例えば入金機１００の外面に設けられたスタートスイッチが操作されると搬送部１３０の動作を開始させ、投入口に積層された紙幣を１枚ずつ繰り出して、検出部１１０に搬送する。搬送制御部１６３は、検出部１１０に搬送された紙幣が、真偽識別部１６２によって真正と鑑別されると、紙幣を収納カセット１４０に搬送する。搬送制御部１６３は、検出部１１０に搬送された紙幣が真偽識別部１６２によって偽と鑑別されると、収納カセット１４０への搬送路から分岐された搬送路に沿って紙幣をリジェクト部（図示省略）に搬送する。
【００３９】
図４は、図１の紙幣取扱システム１０に含まれるサーバー装置２００の構成例を概略的に示すブロック図である。サーバー装置２００は、入金機１００から送信された前工程データを管理する。サーバー装置２００は、図４に示されるように、通信ＩＦ回路２１０，２２０、メモリ２３０、ＣＰＵ２４０を備える。ＣＰＵ２４０は、通信制御部２４１を含む。
【００４０】
通信ＩＦ回路２１０，２２０は、ＣＰＵ２４０に接続され、ＣＰＵ２４０の通信制御部２４１の制御に従って動作する。通信ＩＦ回路２１０は、ネットワーク２０を介して、入金機１００から送信された通信信号を受信する。通信ＩＦ回路２１０は、受信した通信信号に含まれる前工程データを取り出し、取り出した前工程データをＣＰＵ２４０に出力する。
【００４１】
通信ＩＦ回路２２０は、ネットワーク２０を介して、計数機３００と通信する。通信ＩＦ回路２２０は、ＣＰＵ２４０から入力された前工程データを収容した通信信号を、ネットワーク２０で用いられる通信プロトコルに従って生成する。通信ＩＦ回路２２０は、ネットワーク２０を介して、この生成した通信信号を計数機３００に送信する。通信ＩＦ回路２２０は、例えばＩＥＥＥ８０２．１１規格に従った通信回路を含んでもよい。
【００４２】
メモリ２３０は、例えば半導体メモリ等により構成される。メモリ２３０は、例えばＲＯＭ、ＲＡＭ、ＥＥＰＲＯＭなどを含む。メモリ２３０のＲＯＭは、ＣＰＵ２４０を動作させる本実施形態の制御プログラムを記憶する。
【００４３】
ＣＰＵ２４０は、メモリ２３０に記憶された制御プログラムに従って動作することによって、通信制御部２４１として機能する。通信制御部２４１は、入金機１００から送信され通信ＩＦ回路２１０により受信された前工程データをメモリ２３０に保存する。通信制御部２４１は、メモリ２３０に保存されている前工程データの送信を計数機３００から要求されると、前工程データをメモリ２３０から読み出し、読み出した前工程データを収容する通信信号を生成し、生成した通信信号を計数機３００に送信する。
【００４４】
図５は、図１の紙幣取扱システム１０に含まれる計数機３００の構成例を概略的に示すブロック図である。図６は、繰出しモータ３３１により繰り出された紙幣１９０を概略的に示す図である。
【００４５】
図５に示されるように、計数機３００は、検出部３１０、メモリ３２０、搬送部３３０、繰出し部３３５、収納部３４０ａ，３４０ｂ、通信ＩＦ回路３５０、ＣＰＵ３６０、入力部３７０を備える。搬送部３３０は、搬送モータ３３２、搬送路切替部３３３を含む。繰出し部３３５は、繰出しモータ３３１を含む。収納部３４０ａ，３４０ｂは、それぞれ収納センサ３４１ａ，３４１ｂを含む。
【００４６】
検出部３１０は、ＵＶセンサ３１１、磁気センサ３１２、カメラ３１３、可視光センサ３１４を含む。検出部３１０のＵＶセンサ３１１、磁気センサ３１２、カメラ３１３、可視光センサ３１４は、それぞれ、入金機１００（図２）の検出部１１０のＵＶセンサ１１１、磁気センサ１１２、カメラ１１３、可視光センサ１１４と同じ機能を果たす。
【００４７】
メモリ３２０は、例えば半導体メモリ等により構成される。メモリ３２０は、例えばＲＯＭ、ＲＡＭ、ＥＥＰＲＯＭなどを含む。メモリ３２０のＲＯＭは、ＣＰＵ３６０を動作させる本実施形態の制御プログラムを記憶する。ＣＰＵ３６０は、メモリ３２０に記憶された本実施形態の制御プログラムに従って動作することによって、読取制御部３６１、受入判定部３６２、搬送制御部３６３、通信制御部３６４、計数制御部３６５として機能する。
【００４８】
搬送部３３０、繰出し部３３５は、ＣＰＵ３６０に接続され、搬送制御部３６３により制御されて、動作する。すなわち、搬送制御部３６３は、繰出しモータ３３１を動作させて、計数機３００の投入口に積層された複数の紙幣１９０を一枚ずつ繰り出して、検出部３１０に搬送する。搬送制御部３６３は、搬送モータ３３２を動作させて、所定の搬送路に沿って、投入口から検出部３１０に搬送された紙幣１９０を、検出部３１０から収納部３４０ａ，３４０ｂ又はリジェクト部（図示省略）に搬送する。
【００４９】
図６に示されるように、計数機３００の投入口３３０ａに積層された紙幣１９０は、繰出しモータ３３１によって、搬送路３３０ｂに沿って、一枚ずつ繰り出される。本実施形態では、繰出しモータ３３１は、搬送制御部３６３により制御されて、紙幣１９０がカメラ３１３により撮像された撮像画像に基づき読取制御部３６１により記番号が読み取られた時点で、検出部３１０と繰出しモータ３３１との間に、繰出し枚数Ｋ（Ｋは正の整数）の紙幣１９０を既に繰り出している。これによって、本実施形態の計数機３００は、高速で紙幣を計数することが可能になっている。本実施形態では、図６に示されるように、Ｋ＝２である。メモリ３２０は、繰出し枚数Ｋを予め記憶している。
【００５０】
収納部３４０ａ，３４０ｂは、設定されたバッチ枚数Ｎの紙幣１９０を収納する。本実施形態では、収納部３４０ａは、例えば１０００円の紙幣を収納し、収納部３４０ｂは、例えば５０００円の紙幣を収納する。収納センサ３４１ａ，３４１ｂは、それぞれ、紙幣１９０が収納部３４０ａ，３４０ｂに収納されたことを検出する。搬送制御部３６３は、収納センサ３４１ａ，３４１ｂからの検出信号に基づき、それぞれ、収納部３４０ａ，３４０ｂに紙幣１９０が収納されたことを判別する。
【００５１】
通信ＩＦ回路３５０は、ＣＰＵ３６０に接続され、通信制御部３６４により制御されて、動作する。すなわち、通信制御部３６４は、通信ＩＦ回路３５０の動作を制御して、ネットワーク２０を介して、サーバー装置２００との通信を制御する。通信ＩＦ回路３５０は、例えば投入口３３０ａに紙幣１９０の束が積層されたことが検出されると、通信制御部３６４の制御に従って、前工程データの送信を要求する通信信号をサーバー装置２００に送信する。通信制御部３６４は、サーバー装置２００から送信された通信信号を通信ＩＦ回路３５０が受信すると、受信した通信信号から前工程データを取り出し、取り出した前工程データをメモリ３２０の例えばＲＡＭに保存する。通信ＩＦ回路３５０は、サーバー装置２００の通信ＩＦ回路２２０（図４）と同じ通信規格に従った通信回路を含む。
【００５２】
ＣＰＵ３６０の読取制御部３６１は、入金機１００のＣＰＵ１６０の読取制御部１６１（図２）と同じ機能を果たす。すなわち、読取制御部３６１は、カメラ３１３から出力された撮像信号に対して画像処理を行って、紙幣１９０に記載された英数字からなる記番号を読み取る。読取制御部３６１は、読み取った記番号をメモリ３２０の例えばＲＡＭに保存する。
【００５３】
受入判定部３６２は、検出部３１０の検出結果に基づき、紙幣１９０を受け入れるか否かを判定する。受入判定部３６２は、ＵＶセンサ３１１から出力される紫外光信号と、磁気センサ３１２から出力される磁気信号と、可視光センサ３１４から出力される可視光信号とに基づき、紙幣１９０の真偽を鑑別する。また、受入判定部３６２は、真偽識別部１６２（図２）と同様の手法を用いて、可視光センサ３１４から出力される可視光信号に基づき、紙幣の金種を判別する。
【００５４】
受入判定部３６２は、紙幣１９０が偽と鑑別した場合、読取制御部３６１により紙幣１９０の記番号が読み取れなかった場合、紙幣１９０が斜め搬送されたこと等に起因して紙幣１９０の金種が判別できなかった場合等に、紙幣１９０を受け入れないと判定する。受入判定部３６２は、紙幣１９０を受け入れるか否かの判定結果、紙幣の金種の判別結果を搬送制御部３６３に通知する。
【００５５】
搬送路切替部３３３は、搬送制御部３６３により制御されて、検出部３１０以降の紙幣の搬送路を切り替える。すなわち、搬送制御部３６３は、検出部３１０に搬送された紙幣１９０が受入判定部３６２によって受け入れないと判定されると、搬送路切替部３３３を制御して、紙幣１９０をリジェクト部（図示省略）に搬送する。
【００５６】
搬送制御部３６３は、紙幣の金種の判別結果に応じて搬送路切替部３３３を制御して、金種「１０００円」の紙幣の搬送先を収納部３４０ａに切り替え、金種「５０００円」の紙幣の搬送先を収納部３４０ｂに切り替える。計数制御部３６５は、バッチ枚数Ｎに達するまでの紙幣１９０のカウントを制御する。計数制御部３６５の具体的な機能は、後述される。
【００５７】
入力部３７０は、例えばテンキースイッチを含む。入力部３７０は、ユーザにより操作されると、その操作内容を示す操作信号をＣＰＵ３６０に出力する。本実施形態では、計数制御部３６５は、ユーザによる入力部３７０の操作に従って、収納部３４０ａ，３４０ｂに収納される紙幣１９０のバッチ枚数Ｎを設定する。
【００５８】
本実施形態において、入金機１００は、紙葉類鑑別装置の一例に相当し、計数機３００は、紙葉類計数装置の一例に相当する。カメラ１１３及び読取制御部１６１は、第１読取部の一例に相当し、カメラ３１３及び読取制御部３６１は、第２読取部の一例に相当する。真偽識別部１６２は、データ生成部の一例に相当する。繰出し部１３５は、第１繰出し部の一例に相当し、繰出し部３３５は、第２繰出し部の一例に相当し、搬送部３３０は、搬送部の一例に相当する。収納カセット１４０は、第１収納部の一例に相当し、収納部３４０ａ，３４０ｂは、第２収納部の一例に相当する。通信ＩＦ回路３５０及び通信制御部３６４は、取得部の一例に相当する。サーバー装置２００は、管理装置の一例に相当し、通信ＩＦ回路２１０，２２０及び通信制御部２４１は、管理通信部の一例に相当し、メモリ２３０は、管理記憶部の一例に相当する。通信ＩＦ回路１５０及び通信制御部１６４は、第１通信部の一例に相当する。
【００５９】
（動作）
図７は、入金機１００の動作例を概略的に示すフローチャートである。例えば、入金機１００の投入口に紙幣の束がセットされると自動的に、又は、入金機１００に設けられたスタートスイッチが操作されると、図７の動作が開始される。
【００６０】
ステップＳ８００において、搬送制御部１６３は、繰出し部１３５の動作を制御して、投入口に積層された紙幣の束から紙幣を一枚ずつ繰り出す動作を開始する。ステップＳ８０５において、真偽識別部１６２は、紙幣が真正であるか否かを鑑別する。このとき、真偽識別部１６２は、紙幣が真正であれば、紙幣の金種を判別する。紙幣が偽であれば（ステップＳ８０５でＮＯ）、処理は、ステップＳ８２０に進む。一方、紙幣が真正であれば（ステップＳ８０５ＹＥＳ）、処理は、ステップＳ８１０に進む。
【００６１】
ステップＳ８１０において、読取制御部１６１は、記番号を読み取れたか否かを判定する。記番号を読み取れなければ（ステップＳ８１０でＮＯ）、処理は、ステップＳ８２０に進む。ステップＳ８２０において、搬送制御部１６３は、紙幣の搬送先を切り替えて、紙幣をリジェクト部に向けて搬送し、その後、処理はステップＳ８３０に進む。一方、記番号を読み取れると（ステップＳ８１０でＹＥＳ）、処理は、ステップＳ８１５に進む。ステップＳ８１５において、搬送制御部１６３は、紙幣を収納カセット１４０に向けて搬送する。
【００６２】
ステップＳ８２５において、真偽識別部１６２は、記番号と紙幣の金種とを対応付けた対応データを生成し、生成した対応データをメモリ１２０に順番に保存する。ステップＳ８３０において、ＣＰＵ１６０は、投入口に積層された全ての紙幣の鑑別が終了したか否かを判定する。全ての紙幣の鑑別が終了していなければ（ステップＳ８３０でＮＯ）、処理はステップＳ８０５に戻って、以上のステップが繰り返される。一方、全ての紙幣の鑑別が終了していれば（ステップＳ８３０でＹＥＳ）、処理はステップＳ８３５に進む。
【００６３】
ステップＳ８３５において、搬送制御部１６３は、搬送部１３０の動作を停止する。ステップＳ８４０において、通信制御部１６４は、通信ＩＦ回路１５０の動作を制御して、ネットワーク２０を介して、メモリ１２０に保存した全ての対応データを含む前工程データ５００（図３）をサーバー装置２００に送信する。その後、図７の動作は終了する。
【００６４】
図８は、紙幣計数動作の開始前に実行される計数機３００の動作例を概略的に示すフローチャートである。ステップＳ１０００において、計数制御部３６５は、ユーザによる入力部３７０の操作に従って、収納部３４０ａ，３４０ｂに収納される紙幣１９０のバッチ枚数Ｎを設定する。計数制御部３６５は、設定したバッチ枚数Ｎをメモリ３２０の例えばＲＡＭに保存する。なお、図８の動作例では、バッチ枚数Ｎは、金種に関係なく、同一の値に設定されている。
【００６５】
ステップＳ１００５において、計数制御部３６５は、計数された紙幣がバッチ枚数Ｎに達するまでの残り枚数Ｚを設定する。ステップＳ１００５では、未だ紙幣の計数が開始されていないので、計数制御部３６５は、残り枚数Ｚの初期値をＮに設定する。その後、図８の処理は終了する。
【００６６】
図９〜図１１は、計数機３００の紙幣計数動作の一例を概略的に示すフローチャートである。図１２は、図９〜図１１における紙幣計数動作の経過を具体的に説明するための計数情報１３００を概略的に示す図である。
【００６７】
例えば、計数機３００の投入口３３０ａに紙幣１９０の束が新たにセットされると自動的に、又は、計数機３００に設けられたスタートスイッチが操作されると、図９〜図１１の動作が開始される。この実施形態では、入金機１００において収納カセット１４０に収納された紙幣１９０が、そのままの順番で計数機３００の投入口３３０ａにセットされる。図９〜図１１の動作例では、受入判定部３６２は、金種「１０００円」以外の金種は、真偽の鑑別結果等に関係なく、受け入れないと判定する。すなわち、図９〜図１１の動作例では、金種「１０００円」の紙幣１９０が、収納部３４０ａにバッチ枚数Ｎ収納される。
【００６８】
図１２に示されるように、計数情報１３００は、金種欄１３０１、記番号欄１３０２、受入判定結果欄１３０３、残り枚数欄１３０４、バッチ予想紙幣欄１３０５、繰出停止紙幣欄１３０６を含む。金種欄１３０１、記番号欄１３０２は、それぞれ、前工程データ５００（図３）の金種欄５０１、記番号欄５０２と同じである。受入判定結果欄１３０３は、受入判定部３６２による受入判定結果を表す。残り枚数欄１３０４は、バッチ枚数Ｎに達するまでの残り枚数Ｚを表す。バッチ予想紙幣欄１３０５は、計数制御部３６５により特定されたバッチ枚数Ｎに達する紙幣の記番号を表す。繰出停止紙幣欄１３０６は、紙幣の繰出しを停止すべきタイミングの直前に読み取られる紙幣の記番号を表す。すなわち、繰出停止紙幣欄１３０６に表される紙幣の記番号が読み取られると、搬送制御部３６３は、繰出しモータ３３１を停止する。なお、計数情報１３００は、上述のように、単に、図９〜図１１における紙幣計数動作の経過を具体的に説明するためのものであって、計数情報１３００のデータが生成されるわけではない。
【００６９】
図９のステップＳ１１００において、通信ＩＦ回路３５０は、サーバー装置２００から送信された前工程データ５００（図３）を含む通信信号を受信する。通信制御部３６４は、通信ＩＦ回路３５０が受信した前工程データ５００をメモリ３２０の例えばＲＡＭに保存する。搬送制御部３６３は、ステップＳ１１０５において搬送モータ３３２を回転し、ステップＳ１１１０において繰出しモータ３３１を回転する。
【００７０】
ステップＳ１１１５において、受入判定部３６２は、紙幣を識別し、読取制御部３６１は、紙幣の記番号を読み取る。ステップＳ１１２０において、受入判定部３６２は、紙幣を受け入れるか否かを判定する。紙幣を受け入れると判定されると（ステップＳ１１２０でＹＥＳ）、処理はステップＳ１１２５に進む。一方、紙幣を受け入れないと判定されると（ステップＳ１１２０でＮＯ）、処理はステップＳ１１３０に進む。
【００７１】
ステップＳ１１２５において、計数制御部３６５は、残り枚数Ｚを１だけデクリメントする。ステップＳ１１３０において、計数制御部３６５は、残り枚数Ｚをデクリメントせずに、同じ値を維持する。
【００７２】
図９のステップＳ１１１５において、最初に読み取られる紙幣の記番号は、図３の記番号欄５０２（図１２の記番号欄１３０２）に示される「１Ｋ１０１」であるとする。図１２の例では。この記番号「１Ｋ１０１」の紙幣がステップＳ１１２０において受け入れられると判定される。すると、ステップＳ１１２５において、残り枚数Ｚが１だけデクリメントされて、残り枚数Ｚは、図１２の残り枚数欄１３０４に示されるように、「Ｎ−１」になる。
【００７３】
図９のステップＳ１１３５において、計数制御部３６５は、ステップＳ１１１５で読み取られた記番号と、前工程データ５００の記番号とを照合する。以下、直前に読み取られた紙幣の記番号は、「識別紙幣記番号」と称される。本実施形態において、識別紙幣記番号は、読取特定記号の一例に相当する。
【００７４】
ステップＳ１１３５において、更に、計数制御部３６５は、受入条件を満たす紙幣のＺ番目の紙幣をバッチ予想紙幣として特定する。上述のように、図９〜図１１の例では、金種「５０００円」は受け入れないと判定されるので、「受入条件を満たす紙幣」は金種「１０００円」となる。このため、金種「１０００円」のＺ番目（現時点では、Ｚ＝Ｎ−１）の紙幣が、バッチ予想紙幣として特定される。図３（図１２）の例では、記番号「１Ｋ００８」の紙幣がバッチ予想紙幣として特定されるとする。
【００７５】
ステップＳ１１３５において、更に、計数制御部３６５は、バッチ予想紙幣からＫ番前の紙幣までの記番号を前工程データ５００（図３）から抽出する。本実施形態では、Ｋ＝２であるので、図３（図１２）の例では、記番号「１Ｋ００８」、「１Ｋ００７」、「５Ｋ００１」が抽出される。その結果、図１２に示されるように、バッチ予想紙幣欄１３０５は、「１Ｋ００８」になり、繰出停止紙幣欄１３０６は、「５Ｋ００１」になる。
【００７６】
ステップＳ１１４０において、計数制御部３６５は、抽出された記番号のなかに識別紙幣記番号と一致する記番号があるか否かを判定する。抽出された記番号のなかに識別紙幣記番号と一致する記番号がなければ（ステップＳ１１４０でＮＯ）、処理はステップＳ１１４５に進む。一方、抽出された記番号のなかに識別紙幣記番号と一致する記番号があれば（ステップＳ１１４０でＹＥＳ）、処理はステップＳ１１５０に進む。
【００７７】
ステップＳ１１４５において、計数制御部３６５は、残り枚数Ｚが０であるか否かを判定する。残り枚数Ｚが０でなければ（ステップＳ１１４５でＮＯ）、処理はステップＳ１１１５に戻る。一方、残り枚数Ｚが０であれば（ステップＳ１１４５でＹＥＳ）、処理はステップＳ１１５０に進む。
【００７８】
図１２の例では、２番目の記番号「１Ｋ１０２」の紙幣がステップＳ１１２０において受け入れられると判定される。すると、ステップＳ１１２５において、残り枚数Ｚが１だけデクリメントされて、残り枚数Ｚは、図１２の記番号「１Ｋ１０２」に対応する残り枚数欄１３０４に示されるように、「Ｎ−２」になる。続いて、３番目の記番号「５Ｋ１００」の紙幣は、ステップＳ１１２０において受け入れられないと判定される。すると、ステップＳ１１３０において、残り枚数Ｚがデクリメントされずに同じ値が維持されて、残り枚数Ｚは、図１２の記番号「５Ｋ１００」に対応する残り枚数欄１３０４に示されるように、「Ｎ−２」のままとなる。
【００７９】
ステップＳ１１４０でＮＯ、かつステップＳ１１４５でＮＯになると、ステップＳ１１１５に戻って、以上のステップが繰り返される。その後、図１２の例では、記番号「１Ｋ００１」の紙幣がステップＳ１１２０において受け入れられると判定される。すると、ステップＳ１１２５において、残り枚数Ｚが１だけデクリメントされる。そして、残り枚数Ｚは、図１２の記番号「１Ｋ００１」に対応する残り枚数欄１３０４に示されるように、「７」になったとする。更に、次の記番号「１Ｋ００２」が受け入れられて、残り枚数Ｚが「６」になる。
【００８０】
そして、ステップＳ１１３５において、金種「１０００円」の記番号「１Ｋ００２」から６番目の紙幣である記番号「１Ｋ００８」の紙幣が、バッチ予想紙幣として特定され、更に、Ｋ番前までの紙幣の記番号「１Ｋ００８」、「１Ｋ００７」、「５Ｋ００１」が抽出される。
【００８１】
続いて、図１２の例では、記番号「１Ｋ００３」の紙幣がステップＳ１１２０において受け入れられないと判定される。すると、ステップＳ１１３０において、残り枚数Ｚがデクリメントされずに「６」に維持される。したがって、ステップＳ１１３５において、前回と同様に、金種「１０００円」の記番号「１Ｋ００３」から６番目の紙幣である記番号「１Ｋ００９」の紙幣が、バッチ予想紙幣として特定され、更に、Ｋ番前までの紙幣の記番号「１Ｋ００９」、「５Ｋ００３」、「５Ｋ００２」が抽出される。その結果、図１２に示されるように、記番号「１Ｋ００３」に対応するバッチ予想紙幣欄１３０５は、「１Ｋ００９」になり、繰出停止紙幣欄１３０６は、「５Ｋ００２」になる。
【００８２】
続いて、図１２の例では、記番号「１Ｋ００４」の紙幣がステップＳ１１２０において受け入れられると判定される。すると、ステップＳ１１３０において、残り枚数Ｚがデクリメントされて「５」となる。したがって、ステップＳ１１３５において、金種「１０００円」の記番号「１Ｋ００４」から５番目の紙幣である記番号「１Ｋ００９」の紙幣がバッチ予想紙幣として特定され、更に、Ｋ番前までの紙幣の記番号「１Ｋ００９」、「５Ｋ００３」、「５Ｋ００２」が抽出される。以下、記番号「１Ｋ００８」の紙幣が読み取られるまで、同様に処理が進み、記番号「１Ｋ００８」の紙幣が読み取られると、残り枚数Ｚは「１」になる。
【００８３】
図９のステップＳ１１５０において、計数制御部３６５は、繰出しモータ３３１の停止を搬送制御部３６３に通知する。搬送制御部３６３は、通知を受けて、繰出しモータ３３１を停止する。
【００８４】
図１２の例では、記番号「１Ｋ００８」の次の記番号「５Ｋ００２」の紙幣は、ステップＳ１１２０において受け入れられないと判定される。すると、ステップＳ１１２５において、残り枚数Ｚがデクリメントされずに同じ値が維持されて、残り枚数Ｚは、「１」のままになる。
【００８５】
この場合、ステップＳ１１３５において、金種「１０００円」の記番号「５Ｋ００２」から１番目の紙幣である記番号「１Ｋ００９」の紙幣がバッチ予想紙幣として特定され、更に、Ｋ番前までの紙幣の記番号「１Ｋ００９」、「５Ｋ００３」、「５Ｋ００２」が抽出される。したがって、ステップＳ１１４０において、記番号「１Ｋ００９」、「５Ｋ００３」、「５Ｋ００２」のうち、記番号「５Ｋ００２」が一致して（ステップＳ１１４０でＹＥＳ）、繰出しモータ３３１が停止される（ステップＳ１１５０）。
【００８６】
ステップＳ１１５０（図９）に続く、図１０のステップＳ１１５５において、受入判定部３６２は、紙幣を識別し、読取制御部３６１は、紙幣の記番号を読み取る。ステップＳ１１６０において、受入判定部３６２は、紙幣を受け入れるか否かを判定する。紙幣を受け入れると判定されると（ステップＳ１１６０でＹＥＳ）、処理はステップＳ１１６５に進む。一方、紙幣を受け入れないと判定されると（ステップＳ１１６０でＮＯ）、処理はステップＳ１１７０に進む。
【００８７】
ステップＳ１１６５において、計数制御部３６５は、残り枚数Ｚを１だけデクリメントする。ステップＳ１１７０において、計数制御部３６５は、残り枚数Ｚをデクリメントせずに、同じ値を維持する。ステップＳ１１７５において、計数制御部３６５は、繰出しモータ３３１の停止時に既に繰り出されているＫ枚の紙幣を識別したか否かを判定する。Ｋ枚の紙幣を識別していなければ（ステップＳ１１７５でＮＯ）、処理はステップＳ１１５５に戻って、以上のステップが繰り返される。一方、Ｋ枚の紙幣を識別していれば（ステップＳ１１７５でＹＥＳ）、処理はステップＳ１２００（図１１）に進む。
【００８８】
図１１のステップＳ１２００において、計数制御部３６５は、残り枚数Ｚが０であるか否かを判定する。残り枚数Ｚが０でなければ（ステップＳ１２００でＮＯ）、処理はステップＳ１２０５に進む。一方、残り枚数Ｚが０であれば（ステップＳ１２００でＹＥＳ）、処理はステップＳ１２５０に進む。
【００８９】
ステップＳ１２０５において、計数制御部３６５は、識別紙幣記番号と、前工程データ５００（図３）の記番号とを照合する。ステップＳ１２０５において、更に、計数制御部３６５は、受入条件を満たす紙幣（つまり、金種「１０００円」の紙幣）のＺ番目の紙幣をバッチ予想紙幣として特定する。ステップＳ１２０５において、更に、計数制御部３６５は、バッチ予想紙幣までの枚数Ｙを導き出す。
【００９０】
ステップＳ１２１０において、計数制御部３６５は、枚数Ｙが枚数Ｋより大きいか否かを判定する。枚数Ｙが枚数Ｋより大きければ（ステップＳ１２１０でＹＥＳ）、処理はステップＳ１１１０に戻って、以上のステップが繰り返される。一方、枚数Ｙが枚数Ｋ以下であれば（ステップＳ１２１０でＮＯ）、処理はステップＳ１２１５に進む。
【００９１】
ステップＳ１２１５において、計数制御部３６５は、繰出しモータ３３１によりＹ枚の紙幣を繰り出すよう搬送制御部３６３に通知する。搬送制御部３６３は、通知を受けて、繰出しモータ３３１を回転させて、Ｙ枚の紙幣を繰り出させる。
【００９２】
ステップＳ１２２０において、受入判定部３６２は、紙幣を識別し、読取制御部３６１は、紙幣の記番号を読み取る。ステップＳ１２２５において、受入判定部３６２は、紙幣を受け入れるか否かを判定する。紙幣を受け入れると判定されると（ステップＳ１２２５でＹＥＳ）、処理はステップＳ１２３０に進む。一方、紙幣を受け入れないと判定されると（ステップＳ１２２５でＮＯ）、処理はステップＳ１２３５に進む。
【００９３】
ステップＳ１２３０において、計数制御部３６５は、残り枚数Ｚを１だけデクリメントする。ステップＳ１２３５において、計数制御部３６５は、残り枚数Ｚをデクリメントせずに、同じ値を維持する。
【００９４】
ステップＳ１２４０において、計数制御部３６５は、受入判定部３６２が、Ｙ枚の紙幣の識別を終了したか否かを判定する。Ｙ枚の紙幣の識別が終了していなければ（ステップＳ１２４０でＮＯ）、処理はステップＳ１２２０に戻って、以上のステップが繰り返される。一方、Ｙ枚の紙幣の識別が終了していれば（ステップＳ１２４０でＹＥＳ）、処理はステップＳ１２４５に進む。
【００９５】
ステップＳ１２４５において、計数制御部３６５は、残り枚数Ｚが０であるか否かを判定する。残り枚数Ｚが０でなければ（ステップＳ１２４５でＮＯ）、処理はステップＳ１２０５に戻って、以上のステップが繰り返される。一方、残り枚数Ｚが０であれば（ステップＳ１２４５でＹＥＳ）、処理はステップＳ１２５０に進む。
【００９６】
ステップＳ１２５０において、計数制御部３６５は、搬送モータ３３２の停止を搬送制御部３６３に通知する。搬送制御部３６３は、通知を受けて、収納センサ３４１ａからの検出信号により搬送路３３０ｂ内の全ての紙幣が収納部３４０ａに収納されたことを確認した後に、搬送モータ３３２を停止する。その後、図１１の処理は終了する。
【００９７】
上述のように、図９のステップＳ１１４０において、記番号「１Ｋ００９」、「５Ｋ００３」、「５Ｋ００２」のうち、記番号「５Ｋ００２」が一致して（ステップＳ１１４０でＹＥＳ）、ステップＳ１１５０において繰出しモータ３３１が停止された時点では、枚数Ｋ（本実施形態ではＫ＝２）の紙幣が既に繰り出されている。すなわち、図１２の例では、記番号「５Ｋ００３」、「１Ｋ００９」の紙幣が既に繰り出されている。
【００９８】
図１２の例では、記番号「５Ｋ００３」の紙幣は、受け入れられないと判定され（ステップＳ１１６０でＮＯ）、残り枚数Ｚは「１」が維持される（ステップＳ１１７０）。したがって、バッチ予想紙幣は、記番号「１Ｋ００９」のまま維持される。なお、繰出しモータ３３１は既に停止しているため、記番号「５Ｋ００３」に対応する繰出停止紙幣欄１３０６は、空欄になっている。この時点では、繰出し済みのＫ枚の識別が終了していないので（ステップＳ１１７５でＮＯ）、次の記番号「１Ｋ００９」の紙幣が識別される（ステップＳ１１５５）。
【００９９】
図１２の例では、次の記番号「１Ｋ００９」の紙幣は受け入れられないと判定される（ステップＳ１１６０でＮＯ）。すると、残り枚数Ｚは「１」が維持される（ステップＳ１１７０）。また、この時点で、繰出し済みのＫ枚の識別が終了し（ステップＳ１１７５でＹＥＳ）、残り枚数Ｚは「１」が維持されている（ステップＳ１２００でＮＯ）。
【０１００】
そこで、ステップＳ１２０５において、受入条件を満たす紙幣のＺ番目のバッチ予想紙幣として、金種「１０００円」の記番号「１Ｋ００９」から１番目の紙幣である記番号「１Ｋ０１０」が特定される。また、特定されたバッチ予想紙幣までの枚数Ｙは、記番号「５Ｋ００４」、「１Ｋ０１０」の２枚であるので、Ｙ＝２が導き出される。
【０１０１】
したがって、Ｙ＝Ｋ＝２であるので、ステップＳ１２１０において、Ｙ≦Ｋ（ステップＳ２１１０でＮＯ）となって、ステップＳ１２１５において、繰出しモータ３３１により２枚の紙幣が繰り出される。なお、残り枚数Ｚは「１」が維持されている。
【０１０２】
記番号「５Ｋ００４」の紙幣が識別されると（ステップＳ１２２０）、受け入れられないと判定され（ステップＳ１２２５でＮＯ）、残り枚数Ｚは「１」が維持される（ステップＳ１２３５）。Ｙ（＝２）枚が識別されていないので（ステップＳ１２４０でＮＯ）、処理はステップＳ１２２０に戻り、記番号「１Ｋ０１０」の紙幣が識別される。
【０１０３】
記番号「１Ｋ０１０」の紙幣が識別されると（ステップＳ１２２０）、図１２の例では、受け入れられると判定され（ステップＳ１２２５でＹＥＳ）、残り枚数Ｚは「０」にデクリメントされる（ステップＳ１２３０）。Ｙ（＝２）枚が識別され（ステップＳ１２４０でＹＥＳ）、残り枚数Ｚが０であるので（ステップＳ１２４５でＹＥＳ）、記番号「１Ｋ０１０」の紙幣が収納部３４０ａに収納された後に、搬送モータ３３２が停止される（ステップＳ１２５０）。
【０１０４】
以上によって、繰出しモータ３３１を停止したときに既に繰出されている紙幣を無駄にリジェクトすることなく、金種「１０００円」の紙幣が、バッチ枚数Ｎ、収納部３４０ａに収納される。
【０１０５】
（効果）
以上説明されたように、本実施形態では、計数機３００の繰出しモータ３３１により繰り出された紙幣１９０を受け入れるか否かが判定され、紙幣１９０を受け入れると判定されると、バッチ枚数Ｎまでの残り枚数Ｚを１だけデクリメントし、紙幣１９０を受け入れないと判定されると、残り枚数Ｚをそのまま維持する。読み取られた記番号を前工程データ５００と照合し、受入条件を満たす紙幣のＺ番目の紙幣を、バッチ予想紙幣として特定する。バッチ予想紙幣からＫ番前までの記番号を前工程データ５００から抽出する。抽出された記番号のなかに、読み取られた記番号と一致するものがあると、繰出しモータ３３１を停止する。したがって、バッチ予想紙幣からＫ番前の紙幣の記番号が読み取られた時点で、繰出しモータ３３１が停止されると、投入口３３０ａからバッチ枚数Ｎの紙幣が繰り出されたことになる。このため、本実施形態によれば、バッチ枚数Ｎを超える枚数の紙幣１９０が投入口から繰り出されることを未然に防止することができる。その結果、紙幣１９０の計数を高速化しても、既に繰り出された後続の紙幣１９０が無駄にリジェクトされることがないという利点がある。
【０１０６】
（変形された実施形態）
（１）上記実施形態では、計数機３００は、入金機１００で生成された前工程データ５００を、ネットワーク２０及びサーバー装置２００を介して取得しているが、これに限られず、ネットワーク２０及びサーバー装置２００を介さなくてもよい。例えば、持ち運び可能なメモリを介して、計数機３００は、入金機１００で生成された前工程データ５００を取得してもよい。
【０１０７】
入金機１００の通信ＩＦ回路１５０は、通信制御部１６４により制御されて、入金機１００に装着された持ち運び可能メモリに、有線通信で前工程データ５００を送信してもよい。或いは、入金機１００の通信ＩＦ回路１５０は、通信制御部１６４により制御されて、入金機１００に近接配置された持ち運び可能メモリに、近接無線通信で前工程データ５００を送信してもよい。通信ＩＦ回路１５０及び通信制御部１６４は、第１通信部の一例に相当する。
【０１０８】
計数機３００の通信ＩＦ回路３５０は、通信制御部３６４により制御されて、計数機３００に装着された持ち運び可能メモリから、有線通信で前工程データ５００を受信してもよい。或いは、計数機３００の通信ＩＦ回路３５０は、通信制御部３６４により制御されて、計数機３００に近接配置された持ち運び可能メモリから、近接無線通信で前工程データ５００を受信してもよい。通信ＩＦ回路３５０及び通信制御部３６４は、取得部の一例に相当する。
【０１０９】
この変形された実施形態では、紙幣取扱システム１０は、ネットワーク２０及びサーバー装置２００を備えなくてもよい。持ち運び可能メモリは、例えば、ユニバーサルシリアルバス（ＵＳＢ）メモリ、ＳＤカードメモリ等のカード型メモリ、ＩＣタグ、ノート型パーソナルコンピュータ（ＰＣ）を含む。
【０１１０】
（２）上記実施形態では、紙幣１９０の繰出し枚数Ｋは、Ｋ＝２とされているが、これに限られない。紙幣１９０の繰出し枚数Ｋは、計数機３００の投入口３３０ａから検出部３１０までの距離及び繰出しモータ３３１による紙幣１９０の繰出し速度に応じて決まる値であって、１以上の整数であればよい。
【０１１１】
（３）上記実施形態では、紙幣取扱システム１０は、１０００円、５０００円の２種類の紙幣を取り扱っているが、これに限られない。上記実施形態の紙幣取扱システム１０は、２種類以上の紙幣を取り扱ってもよい。例えば、上記実施形態の紙幣取扱システム１０は、１０００円、５０００円の紙幣に加えて、１００００円、２０００円の紙幣も取り扱ってもよい。
【０１１２】
（４）上記実施形態では、紙幣取扱システム１０は、日本で発行された紙幣を取り扱っているが、これに限られない。例えば、外国で発行された複数金額の紙幣を取り扱ってもよく、外国と日本で発行された紙幣が混在していてもよい。この場合には、紙幣の幅及び長さ、透かし領域の大きさ及び位置、記番号の位置等、紙幣の真偽を鑑別するための鑑別データを各国別に記憶しておけばよい。
【０１１３】
（５）上記実施形態では、紙幣取扱システム１０は、紙幣を取り扱っているが、紙幣に限られない。紙幣取扱システム１０は、例えば、透かし領域を有する有価証券等の紙葉類を取り扱ってもよい。
【符号の説明】
【０１１４】
１０  紙幣取扱システム
１００  入金機
１１１，３１１  ＵＶセンサ
１１２，３１２  磁気センサ
１１３，３１３  カメラ
１１４，３１４  可視光センサ
１３５，３３５  繰出し部
１４０  収納カセット
１５０，３５０  通信ＩＦ回路
１６１，３６１  読取制御部
１６２  真偽識別部
１６４，３６４  通信制御部
１９０  紙幣
２００  サーバー装置
２１０，２２０  通信ＩＦ回路
２４１  通信制御部
２３０  メモリ
３００  計数機
３３０  搬送部
３３１  繰出しモータ
３４０ａ，３４０ｂ  収納部
３６２  受入判定部
３６３  搬送制御部
３６５  計数制御部
【図１】
2019016323.tif 000003
【図２】
2019016323.tif 000004
【図３】
2019016323.tif 000005
【図４】
2019016323.tif 000006
【図５】
2019016323.tif 000007
【図６】
2019016323.tif 000008
【図７】
2019016323.tif 000009
【図８】
2019016323.tif 000010
【図９】
2019016323.tif 000011
【図１０】
2019016323.tif 000012
【図１１】
2019016323.tif 000013
【図１２】
2019016323.tif 000014